(57)【要約】【課題】キャッシュカードあるいはクレジットカードを用い、マネーカードあるいは携帯電話機に電子マネーをチャージするチャージ機における取り忘れを確実に回避することができるようにした電子マネーチャージ機を提供する。【解決手段】カード挿入口から投入されたカードに記録された識別情報を読み取る識別情報読取手段と、読み取った識別情報を決済カードセンタに送信する一方、決済カードセンタから当該識別情報の認証を受信する識別情報認証送受信手段と、決済カードセンタから認証を受信した場合に記録媒体に搭載された非接触ＩＣチップに電子マネーをチャージする非接触ＩＣカードリーダライタとを備えた電子マネーチャージ機において、前記カード挿入口の前方下部に、前記記憶媒体との通信領域となるように前記非接触ＩＣカードリーダライタのアンテナを配設する。【選択図】図１
2008310713.tif 000002
【特許請求の範囲】
【請求項１】
カード挿入口から投入されたカードに記録された識別情報を読み取る識別情報読取手段と、読み取った識別情報を決済カードセンタに送信する一方、決済カードセンタから当該識別情報の認証を受信する識別情報認証送受信手段と、決済カードセンタから認証を受信した場合に記録媒体に搭載された非接触ＩＣチップに電子マネーをチャージする非接触ＩＣカードリーダライタとを備えた電子マネーチャージ機において、前記カード挿入口の前方下部に、前記記憶媒体との通信領域となるように前記非接触ＩＣカードリーダライタのアンテナを配設したことを特徴とする電子マネーチャージ機。
【請求項２】
前記カード挿入口からカードを排出する際に、前記カードが排出位置を前記非接触ＩＣカードリーダライタのアンテナの上方位置に配設したことを特徴とする請求項１に記載の電子マネーチャージ機。
【請求項３】
電子マネーをチャージ完了後、前記カード挿入口からカードを排出することを特徴とする請求項１または２に記載の電子マネーチャージ機。
【請求項４】
前記カード挿入口からカードを排出時に、前上方からカードと記録媒体とを視認できる位置に排出することを特徴とする請求項３に記載の電子マネーチャージ機。
【発明の詳細な説明】
【技術分野】
【０００１】
本発明は、キャッシュカード、あるいはクレジットカードを用いてマネーカード等の記録媒体に電子マネーをチャージすることが可能な電子マネーチャージ機に関するものである。
【背景技術】
【０００２】
銀行口座の預金を用いて非接触ＩＣチップが搭載されたマネーカードに電子マネー（バリュー）をチャージする電子マネーチャージ機が提案されている。この電子マネーチャージ機は、キャッシュカードの情報を読み取るカード情報読取装置、取引金額及び暗証番号を入力する入力装置、及びマネーカードにアクセス可能なインタフェース（アンテナ及び非接触ＩＣカードリーダライタ）を備えている（例えば、特許文献１参照）。
【０００３】
上記のような電子マネーチャージ機は、例えば、図５のように構成されている。
【０００４】
図５に示すように、マネーカードあるいは携帯電話機に電子マネーをチャージ可能とする場合、電子マネーチャージ機５０に、キャッシュカードＣあるいはクレジットカードＣのカード挿入口５１と、電子マネーカードとしての携帯電話機ＭＰあるいはマネーカードを載置可能とする載置部５２と、カード挿入口５１の奥方にカード情報読取装置５１ａと、載置部５２に非接触ＩＣカードリーダライタ（図示せず）に接続したアンテナ５２ａを配設する。
【０００５】
このような装置においては、カードの取り忘れ防止のため、カード挿入口５１の付近にランプ５１ｂを設け、かつ、載置部５２の付近にランプ５２ｂを設け、取り忘れ防止のために喚起を促すようになっている。
【０００６】
これは、例えば、キャッシュカードCのみをとり、電子マネーカードである携帯電話機ＭＰあるいはマネーカードを取り忘れたり、あるいは、携帯電話機ＭＰあるいはマネーカードのみをとり、キャッシュカードCを取り忘れたりしないようにするためである。
【０００７】
また、この他に、図示しないが、音声ガイドにより報知する方法もある。
【特許文献１】特開２００５−１２８６７５号公報
【発明の開示】
【発明が解決しようとする課題】
【０００８】
しかしながら、上述した図５に示すような電子マネーチャージ機では、チャージ処理後の取り忘れを回避する手段として、利用者の置かれている状況によっては高い効果が期待出来ない可能性があった。
【０００９】
すなわち、ランプによる報知の場合、利用者が意図してランプを注視しない限りはその効果は期待出来ず、他に注意が削がれるような状況に利用者が置かれている場合、高い効果は期待出来ない。
【００１０】
また、音声による報知の場合、電子マネーチャージ機が設置されている環境によって聞き取ることが困難であることが予想される。
【００１１】
本発明は、上記に鑑みて、キャッシュカードあるいはクレジットカードを用いい、マネーカードあるいは携帯電話機に電子マネーをチャージするチャージ機における取り忘れを確実に回避することができる電子マネーチャージ機を提供することを目的とする。
【課題を解決するための手段】
【００１２】
上記の目的を達成するために、本発明の請求項１に係る電子マネーチャージ機は、カード挿入口から投入されたカードに記録された識別情報を読み取る識別情報読取手段と、読み取った識別情報を決済カードセンタに送信する一方、決済カードセンタから当該識別情報の認証を受信する識別情報認証送受信手段と、決済カードセンタから認証を受信した場合に記録媒体に搭載された非接触ＩＣチップに電子マネーをチャージする非接触ＩＣカードリーダライタとを備えた電子マネーチャージ機において、前記カード挿入口の前方下部に、前記記憶媒体との通信領域となるように前記非接触ＩＣカードリーダライタのアンテナを配設したことを特徴とする。
【００１３】
本発明の請求項２に係る電子マネーチャージ機は、上記請求項１において、前記カード挿入口からカードを排出する際に、前記カードが排出位置を前記非接触ＩＣカードリーダライタのアンテナの上方位置に配設したことを特徴とする。
【００１４】
本発明の請求項３に係る電子マネーチャージ機は、上記請求項１または２において、電子マネーをチャージ完了後、前記カード挿入口からカードを排出することを特徴とする。
【００１５】
本発明の請求項４に係る電子マネーチャージ機は、上記請求項３において、前記カード挿入口からカードを排出時に、前上方からカードと記録媒体とを視認できる位置に排出することを特徴とする。
【発明の効果】
【００１６】
本発明に係る電子マネーチャージ機には、カード挿入口の前方下部に、前記記憶媒体との通信領域となるように前記非接触ＩＣカードリーダライタのアンテナを配設したことにより、キャッシュカードあるいはクレジットカードを用いてマネーカードあるいは携帯電話機に電子マネーをチャージした際に、両者が近傍にあるため、取り忘れを回避することができる。
【００１７】
また、カードが排出位置を前記非接触ＩＣカードリーダライタのアンテナの上方位置とすることで、より確実に取り忘れを回避することができる。
【００１８】
さらに、電子マネーをチャージ完了後、前記カード挿入口からカードを排出することで、チャージ完了とともに、カードが排出されるため、より確実に取り忘れを回避することができる。
【００１９】
またさらに、カード挿入口からカードを排出時に、前上方からカードと記録媒体とを視認できる位置に排出することで、両者を確実に視認することができ、より確実に取り忘れを回避することができる。
【発明を実施するための最良の形態】
【００２０】
以下に添付図面を参照して、本発明に係る電子マネーチャージ機の好適な実施の形態を詳細に説明する。なお、この実施の形態によりこの発明が限定されるものではない。
【００２１】
図３は本発明の実施の形態である電子マネーチャージ機の構成を示す概念図、図１，図２は、図３に示した電子マネーチャージ機の要部拡大図である。
【００２２】
本実施の形態である電子マネーチャージ機１は、図１ないし図３に示すように、前面にマネーカード、携帯電話機ＭＰが載置可能となっている載置部２が設けてある。
【００２３】
この戴置部２の直ぐ上には、カード挿入口３が開口しており、キャッシュカード、クレジットカードが投入可能となっている。
【００２４】
図１に示すように、カード挿入口３から電子マネーチャージ機１の奥方に向けて、カード情報読取装置４が配設してある。カード情報読取装置４は、カードＣからキャッシュカード情報あるいはクレジットカード情報を読み取るものであって、キャッシュカード情報、クレジットカード情報が磁気情報で記録されている場合には、当該磁気情報を読み取ることができ、キャッシュカード情報、クレジットカード情報が電子情報でＩＣチップ等に記録されている場合には、当該電子情報を接触、あるいは非接触で読み取ることができるようになっている。
【００２５】
戴置部２の内部には、アンテナ５が配設してある。アンテナ５には、非接触ＩＣカードリーダライタ５ａが接続してあり、戴置部２にセットされたマネーカード、携帯電話機ＭＰからマネー情報を読み取ることができ、戴置部２にセットされたマネーカード、携帯電話機ＭＰに電子マネーをチャージすることができるようになっている。
【００２６】
カード挿入口３の上方部には、ガイダンス表示装置６、入力デバイス６ａ、音声ユニット７が配設してある。ガイダンス表示装置６は、電子マネーチャージ機の操作手順等を表示するものである。入力デバイス６ａは、例えば、タッチパネル等であって、ガイダンス表示装置６に表示されたテンキー等を指示することによって、暗証番号、チャージ金額等を入力できるようになっている。音声ユニット７は、利用者に注意を促すためのもので、一定時間を経過しても操作がされなかった場合、カードの取り忘れがあった場合等に音声を発するようになっている。
【００２７】
一方、戴置部２の下方部には、紙幣識別機８、レシート発行装置９が配設してある。
【００２８】
これら、ガイダンス表示装置６、入力デバイス６ａ、音声ユニット７、カード情報読取装置４、非接触ＩＣカードリーダライタ５ａ、紙幣識別機８、レシート発行装置９は、全体制御部１０に接続してあり、全体制御部１０により制御されるようになっている。
【００２９】
また、全体制御部１０、広域ネットワーク接続インタフェース１１に接続してあり、広域ネットワーク１２を介して決済カードセンタ１３、電子マネー管理センタ１４に接続されている。このため、電子マネーチャージ機１は、決済カードセンタ１３認証を得ることにより、キャッシュカードあるいはクレジットカードによる電子マネーのチャージが可能となり、マネーカードあるいは携帯電話機ＭＰにチャージされた電子マネーは、電子マネー管理センタ１４においても管理される。
【００３０】
図４の処理手順を示すシーケンス図を参照し、携帯電話機ＭＰにチャージする場合を例として電子マネーチャージ機１の作用を説明する。
【００３１】
電子マネーチャージ機１は、待機状態において、電子マネーのチャージが可能である旨のガイダンス、マネーカードあるいは携帯電話機ＭＰのセットを促すガイダンス、キャッシュカード，クレジットカード、紙幣のいずれかの投入を促すガイダンスがガイダンス表示装置６に表示される。
【００３２】
まず、この待機状態において、利用者はこのガイダンスにしたがって、携帯電話機ＭＰを載置部２に載置する（ＳＱ１）。
【００３３】
このように、携帯電話機ＭＰを載置すると、アンテナを介して、非接触ＩＣカードリーダライタ５は、携帯電話機ＭＰからマネー情報であるＩＤ番号、残額等の情報を読み取ることになる（ＳＱ２）。
【００３４】
そして、全体制御部１０は、読み取ったカード情報から電子マネーカード機能を有する携帯電話機ＭＰであることを認識する（ＳＱ３）。
【００３５】
全体制御部１０は、ガイダンス表示装置に電子マネーの残額表示とともに、キャッシュカード，クレジットカード、紙幣のいずれかの投入を促す表示を行う（ＳＱ４）
次に、利用者によりキャッシュカードあるいはクレジットカードのカードＣがカード挿入口３から挿入されると（ＳＱ５）、全体制御部１０はキャッシュカードをカード情報読取装置４の位置まで搬送するとともに、ガイダンス表示装置６にチャージ金額の指定を要求するガイダンスを表示する（ＳＱ６）。
【００３６】
カード情報読取装置４に搬送されると、カードＣは、キャッシュカードに関する情報、あるいはクレジットカードに関する情報（金融カード情報）であり、決済に用いるカードのＩＤ番号、有効期限等の情報を読み取る（ＳＱ７）。
【００３７】
カード情報読取装置４においてカード情報が読み取られるとともに、入力デバイス６ａからチャージ金額が指定されると（ＳQ８）、これら情報が広域ネットワーク１２を介して決済カードセンタ１３に送られ、カード認証及び決済可否の確認が行われる（ＳＱ９）。
【００３８】
決済カードセンタ１３において、カード認証及び決済可否が確認されると、全体制御部１０が非接触ＩＣカードリーダライタ５ａに電子マネーのチャージ指令を出力し（ＳＱ１０）、非接触ＩＣカードリーダライタ５ａがアンテナ５を介して携帯電話機ＭＰに電子マネーをチャージする（ＳＱ１１）。具体的には、非接触ＩＣカードリーダライタ５ａにおいて、カードＩＤを確認した後、残額データを書き換えることになる。
【００３９】
このように、携帯電話機ＭＰに電子マネーのチャージが完了したことにより、カードＣの排出指令が出力され（ＳＱ１２）、カードＣがカード挿入口３まで排出されると、図２に示すように、携帯電話機ＭＰの上方にカードＣが排出されるため、図１に示すように、利用者の視線からカードＣと携帯電話機ＭＰとの両者を捉えることが出来るため、両者を取り忘れことがない。また、このとき、従来と同様に、ガイダンス表示装置６には、電子マネーのチャージが完了した旨のほか、カードを取るように音声ユニット７にて報知する（ＳＱ１３）。
【００４０】
以上のように、電子マネーのチャージ完了とともに、カードＣを返却するため、携帯電話機ＭＰとカードＣとの両者を利用者の視線にて確実に捕らえることができるため、取り忘れが無くなる。
【００４１】
また、電子マネーカードＭＣであっても同様の効果が得られる。
【図面の簡単な説明】
【００４２】
【図１】本発明の実施の形態である電子マネーチャージ機の要部拡大図である。
【図２】本発明の実施の形態である電子マネーチャージ機の要部拡大図である。
【図３】本発明の実施の形態である電子マネーチャージ機の構成を示す概念図である。
【図４】図１ないし図３に示した電子マネーチャージ機の処理手順を示すシーケンス図である。
【図５】従来の電子マネーをチャージ可能とする電子マネーチャージ機の構成を示す概念図である。
【符号の説明】
【００４３】
１      電子マネーチャージ機
２      戴置部
３      カード挿入口
４      カード情報読取装置
５      アンテナ
５ａ    非接触ＩＣカードリーダライタ
６      ガイダンス表示装置
６ａ    入力デバイス
７      音声ユニット
８      紙幣識別機
９      レシート発行装置
１０    全体制御部
１１    広域ネットワーク接続インタフェース
１２    広域ネットワーク
１３    決済カードセンタ
１４    電子マネー管理センタ
Ｃ      カード
ＭＰ    携帯電話機
【図１】
2008310713.tif 000003
【図２】
2008310713.tif 000004
【図３】
2008310713.tif 000005
【図４】
2008310713.tif 000006
【図５】
2008310713.tif 000007